(57)【要約】
【課題】写真で工事現場の検尺を撮影記録する際に使用する、長さを測定するためのリボンテープとスチールテープの２本を一体化させた、巻取りが可能であるラミネート構造を有したリボンロッドを提供することを目的とする。
【解決手段】柔軟性を有し少なくとも片側に５ミリ幅で２色を交互に連続表示した５ミリ目盛２と１００ミリごとに表示された１００ミリ目盛３とを有するリボンテープ１と、柔軟性を有しリボンテープ１と同寸で片側に短い線で表示された１ミリ目盛５と幅方向全長に表示された１００ミリ目盛６とを有するスチールテープ４と、互いの零位部と１００ミリ目盛を合致させ、リボンテープ１の５ミリ目盛２を内側にしスチールテープ４の１ミリ目盛５を外側にした状態で水平に隣接させ、上下両面から柔軟性を有したテープ状透明フィルム７でパウチし、両側に上下の透明フィルムが一体となったエッジが形成されていることを特徴とする。
【選択図】図３
0003101427.tif 000002
【実用新案登録請求の範囲】
【請求項１】
検尺現場写真撮影に用いられる巻取り可能な長さ測定用リボンロッドであり、可撓性を有し少なくとも片側に５ミリ幅で２色を交互に連続表示した５ミリ目盛と１００ミリごとに表示された１００ミリ目盛とを有するリボンテープと、可撓性を有しリボンテープと同寸で片側に短い線で表示された１ミリ目盛と幅方向全長に表示された１００ミリ目盛とを有するスチールテープとを、リボンテープとスチールテープの零位部と全ての１００ミリ目盛を合致させ、リボンテープの５ミリ目盛を内側にしスチールテープの１ミリ目盛を外側にした状態で互いを水平に隣接させ、この状態でリボンテープとスチールテープの上下両面から柔軟性を有したテープ状透明フィルムで全長にわたりパウチしてラミネートテープとし、このラミネートテープの幅がリボンテープとスチールテープを合わせた幅より広く、両側の縁にはリボンテープとスチールテープから横にはみだした上下の透明フィルムが一体となってエッジを形成していることを特徴とするラミネート構造を有したリボンロッド。
【考案の詳細な説明】
【技術分野】
【０００１】
この考案は、写真で工事現場の検尺を撮影記録する際に使用する、長さを測定するための目盛が表示された、巻取りが可能なリボンロッドに関するものである。
【背景技術】
【０００２】
従来、砂防ダム等を建造する工事現場において、仕上がった各部寸法を測定し写真に記録するために、リボンテープ２１とスチールテープ２２の２本が用いられている（図４、図５参照）。
【０００３】
砂防ダムの出来形寸法写真管理撮影方法として、スチールテープ２２のみの写真では出来形寸法が判別できないことから、写真による寸法判別の目安としてリボンテープ２１を使用し、詳細な寸法判断にはスチールテープを使用し、写真撮影では両方並列にセットし、ダム軸・両端の箇所は写真判定不足を回避する目的でアップ写真を撮影する。リボンテープ２１には５ミリ幅の白と黒が連続した５ミリ目盛が表示されている。スチールテープ２２には１ミリ間隔で目盛が表示されている。リボンテープ２１は、通常、幅の広い樹脂製のものが使われている。スチールテープ２２は、通常、幅の狭いスチール製のものが使用されている。どちらも先端にはフックがあり、引掛可能になっている。
【０００４】
検尺記録の作業は、通常、リボンテープ２１の零位部を測定対象２４の零位点２３に固定して動かないように押さえる人と、リボンテープ２１を伸ばして歪み弛みがないようピンと張って測定位置２５の正確な検尺ができるように引く人と、スチールテープ２１の零位部を測定対象２４の零位点２３に固定して動かないように押さえる人と、スチールテープ２２を伸ばして歪み弛みがないようピンと張って測定位置２５までの正確な検尺ができるように引く人と、リボンテープ２１とスチールテープ２２が測定対象２４の端と端を正確に測定している状況を写真に撮る人の、合計５人で行われている。残存型枠内の寸法を撮影するとき、あて尺のへら２６を使ってスチールテープ２１の零位部を固定対象２４の零位点２３に押し付ける。計測を正確にするために、リボンテープ２１とスチールテープ２２の零位部をそろえた状態で、２本を端から端まで完全に平行になるように引っ張る（図６参照）。対象の広い範囲を引いて写すとリボンテープ２１の目盛で検尺でき、対象の狭い範囲を寄って写すとスチールテープ２２の目盛でミリ単位の検尺ができる。当然のことながら、リボンテープ２１とスチールテープ２２の寸法の目盛が完全に一致した写真でなければならない。
【特許文献１】実開平７−３４３１６号公報
【特許文献２】実開昭６２−０１４３１７号公報
【考案の開示】
【考案が解決しようとする課題】
【０００５】
上記した従来のリボンテープとスチールテープには次のような問題点があった。第１に、検尺撮影作業に５人は人数が多すぎること。２本使用のため、両方のテープを押さえる作業従事者の増員が必要となる。
【０００６】
第２に、リボンテープとスチールテープの２本を完全にそろえるまでが大変難し作業であること。２人でリボンテープとスチールテープの２つ近接した零位部を２本のへらで押さえ、弛みのないようにピンと引っ張り続け、２本の角度を零位点から直角に平行させ広がったり狭まったり隙間ができないようにし、２本の並んだ寸法の間に１ミリもずれがないようにしなければならないが、これを一致させるのは大変難しい。測定対象の端と端の間ではリボンテープとスチールテープが微妙に浮いたり沈んだりしており、これが最終的には２本の間で長さのずれとなってあらわれる場合がある。また、リボンテープが幅の広い形をした樹脂製であり、スチールテープが幅の狭いスチール製であることが多く、材質と形状が異るため、２本の引っ張り方に微妙な差が生じていることも考えられる。４人で異なる２本を同時に１ミリのずれもなく正確にピンと引り続けることはなかなか作業が困難である。図６は検尺の理想的な状態を描いたもので、実際には２本の状態が完全に一致することは非常に難しい。
【０００７】
第３に、２本による検尺作業がぴたっと一致した瞬間をとらえて写真を撮影できるまでに時間が長くかかることである。リボンテープの弛みや直線性を直すのに時間がかかり、写真撮影に支承をきたす。写真判定を向上させるために、リボンテープとスチールテープを２本使用しての撮影は、撮影者と作業従事者との連携や意図とする呼吸のタイミングが困難となり、時間を要したのが実態である。４人が２本のテープを正確に張れたとしても、その状態を保てるのはごく短時間であるため、撮影者は作業の具合を見て、シャッターを押すチャンスを逃さないようにしなくてはならない。しかし、実際の作業では、たとえば１施工断面の検尺作業を撮影するのに約４０分を要していた。５人の呼吸が合うまでには熟練が必要であり、１人でも作業に狂いがでると、検尺写真の撮影はうまくいかない。２本のテープを、並列にし、テープ間の隙間がないようにし、目盛を合わせるようにするには、連携や意図的な要素が左右する。
【０００８】
第４に、リボンテープやスチールテープの耐久性がそれほど高くないため、汚れたり損傷しやすいことである。表面の傷によって表示が消える場合がある。材質が、引っ張り強さが重視されているため、零位部をへらの先で測定対象の零位点に押さえつけながら引っ張る負荷に対しては耐久性が低いものが多く、損傷が進むと切れる場合がある。残存型枠内の寸法を撮影するとき、スチールテープの零位部をあて尺により押さえるため、零位部が破損する。泥その他の汚れが付くと、なかなか落ちない。
【０００９】
第５に、リボンテープやスチールテープの縁で手や腕などを切る危険性があることである。安全を考えれば軍手をはめたほうが良いが、作業の能率を優先させて素手で扱うことも多く、怪我をする危険性も高い。
【００１０】
第６に、検尺にリボンテープとスチールテープの２本が必要なため、利便性が劣ることである。検尺撮影現場に来ても、２本のうちの片方だけしか持ってきていない場合がある。持ち運ぶときに、荷物が２つになる。収納するとき、収納スペースが２つ分必要になる。
【００１１】
本考案は、上記した問題点を解決するためのラミネート構造を有したリボンロッドを提供することを目的とする。
【課題を解決するための手段】
【００１２】
上記目的を達成するため、本考案のラミネート構造を有したリボンロッドは、検尺現場写真撮影に用いられる巻取り可能な長さ測定用リボンロッドであり、可撓性を有し少なくとも片側に５ミリ幅で２色を交互に連続表示した５ミリ目盛と１００ミリごとに表示された１００ミリ目盛とを有するリボンテープと、可撓性を有しリボンテープと同寸で片側に短い線で表示された１ミリ目盛と幅方向全長に表示された１００ミリ目盛とを有するスチールテープとを、リボンテープとスチールテープの零位部と全ての１００ミリ目盛を合致させ、リボンテープの５ミリ目盛を内側にしスチールテープの１ミリ目盛を外側にした状態で互いを水平に隣接させ、この状態でリボンテープとスチールテープの上下両面から柔軟性を有したテープ状透明フィルムで全長にわたりパウチしてラミネートテープとし、このラミネートテープの幅がリボンテープとスチールテープを合わせた幅より広く、両側の縁にはリボンテープとスチールテープから横にはみだした上下の透明フィルムが一体となってエッジを形成していることを特徴とする。
【考案の効果】
【００１３】
上記の考案によれば、第１に、リボンテープとスチールテープによる検尺が２人の作業員でできるので、撮影者１人をあわせて３人で検尺撮影作業を行うことができる。
【００１４】
第２に、リボンテープとスチールテープの２本が完璧に一体となっているので、２つの零位部をそろえることも、弛みのないようにピンと引っ張り続けることも、２本の角度を零位点から直角に平行させて隙間をつくらぬことも、２本の目盛をずらすことなく寸法を完全に一致させることも、すべて簡単にできるし、２本はわずかな浮き沈みまで一致しているので小さな誤差も絶対に生じない。リボンテープとスチールテープの材質と形状が異なっても、両方とも上下両面を透明フィルムでパウチしているので、引っ張るときにどちらを持っても差は生じない。表面を被覆しているのが透明フィルムなので、中のリボンテープとスチールテープの目盛を外から透視し、撮影することができる。もはや検尺作業にそれほどの熟練を必要としなくなる。
【００１５】
第３に、２本が一体となった本ロッドリボンによる作業は短時間で正確に検尺できるので、写真撮影も短時間で終えることができる。実際、所要時間が従来の３分で済んだ。
【００１６】
第４に、内部のリボンテープとスチールテープの全体が透明フィルムで完全にガードされているため、２本の表面に傷がつくことも、へらで押さえて零位部が損傷することもなく、耐久性が飛躍的に向上する。透明フィルムの表面に汚れが付きにくく、付いても洗えば簡単に落とすことができる。２本のテープは上下両面から透明フィルムによって完全に被覆され、上下の透明フィルムが一体になってエッジを形成しているので、汚れが内部に侵入することもない。
【００１７】
第５に、両側のエッジはパウチ用の上下の透明フィルムが一体となって形成されているので、柔軟性があり、素手で扱っても怪我をする危険がない。本リボンロッドは、リボンテープとスチールテープが可撓性を有しパウチした透明フィルムが柔軟性を有しているので、リールで巻き取ることができる。
【００１８】
第６に、本考案のリボンロッド１本ですべてが済むため、利便性に優れている。２本が一体になっているので、片方だけ置き忘れてしまうようなことはない。持ち運ぶときに、荷物が１つで済む。収納するとき、収納スペースが１つ分で済む。
【考案を実施するための最良の形態】
【００１９】
添付図面に基づき本考案を実施するための最良の形態について説明するが、本考案は以下の形態にのみ限定されるべきものではないことはいうまでもない。
【００２０】
図１、図２、図３に示したリボンロッドが本考案に係るラミネート構造を有したリボンロッドである。本リボンロッドは、リボンテープ１とスチールテープ４が柔軟性を有したテープ状の透明フィルム７によってパウチされたラミネートテープである。図中７は、両面からパウチして本リボンロッドの表面と両側のエッジとを形成する透明フィルムである。透明フィルム７の横幅は、リボンテープ１とスチールテープ４を並べたよりも、両側のエッジ分だけ広い。エッジ部分の透明フィルム７は、上下の透明フィルム７同士が熱融着して完全に一体となっており、剥れることがなく、内部のロッドリボン１とスチールテープ４を完全に密封状態にして一体化している。図中１は、可撓性を有し長さ方向の全長にわたって５ミリ幅で２色を交互に連続的に表示した５ミリ目盛２と１００ミリごとに表示された１００ミリ目盛３とを有したリボンテープである。５ミリ目盛２は少なくとも片側に表示されるもので、本実施の形態においては片側のみに表示されており、白と黒の２色になっている。１００ミリ目盛３は、１００ミリの区切が認識できる表示であれば構わないが、本実施の形態においては１００ミリ目に当たる５ミリ目盛を横方向に延長した表示となっている。リボンテープ１に大きな数字が表示されているのは１００ミリ単位の先頭の数字であり、１メートルごとに零位部から何メートルであるかも表示されている。図中４は、可撓性を有しリボンテープ１と同寸で長さ方向の全長にわたって片側に短い線で表示された１ミリ目盛５と幅方向全長に表示された１００ミリ目盛６とを有するスチールテープである。１００ミリ目盛６は１００ミリ目に当たる１ミリ目盛５を延長した表示となっている。スチールテープ４に大きな数字が表示されているのは１００ミリ単位の先頭から２桁の数字であり、中くらいの大きさで数字が表示されているのは１０ミリ単位の先頭の数字であり、１メートルごとに零位部から何メートルであるかも示されている。これらの細かいデザインは他のものであっても構わない。リボンテープ１は５ミリ目盛２がスチールテープ４と隣接する内側であり、スチールテープ４は１ミリ目盛５をリボンテープ１の反対に当たる外側に配する。リボンテープ１とスチールテープ４は、零位部と全ての１００ミリ目盛を合致させているので、正確な検尺ができる。リボンテープ１の１００ミリ目盛３とスチールテープ４の１００ミリ目盛５が隣接して合致するため、１００ミリの区切で２本の目盛が正確に一致していることが一目瞭然でわかる。リボンテープ１とスチールテープ４を水平に隣接させるのは、ラミネートテープの厚みを極力薄くして凹凸をつくらず表面をフラットに保つためである。隣接とは、２本を隣り合わせに接触させた状態のことである。ラミネート構造を有した本リボンロッドは、透明フィルムが柔軟であるため、リールに巻取ることが可能である。本実施の形態のリボンロッドの零位部には掛止用フックが設けられている。
【図面の簡単な説明】
【００２１】
【図１】本考案のリボンロッドをあらわす説明図。
【図２】本考案のリボンロッドをあらわす説明図。
【図３】本考案のリボンロッドをあらわす説明図。
【図４】従来のリボンテープをあらわす説明図。
【図５】従来のスチールテープをあらわす説明図。
【図６】従来のリボンテープとスチールテープをあらわす説明図。
【符号の説明】
【００２２】
１    リボンテープ
２    ５ミリ目盛  
３    １００ミリ目盛
４    スチールテープ
５    １ミリ目盛
６    １００ミリ目盛
７    透明フィルム
【図１】
0003101427.tif 000003
【図２】
0003101427.tif 000004
【図３】
0003101427.tif 000005
【図４】
0003101427.tif 000006
【図５】
0003101427.tif 000007
【図６】
0003101427.tif 000008